(57)【要約】【課題】適切な商品の販売条件が記載された提案書を自動的に作成することができる提案書作成装置を提供することを課題とする。【解決手段】提案書作成装置１は、見積メインテーブル２５及び見積サブテーブル２６により構成される見積書データの中から、所望の見積書データを指定する。見積書データは、販売者が取り扱う商品の見積を含む。提案書作成装置１は、指定された見積書データから、商品の取引条件を示す取引条件情報を取得し、商品の特徴を示す特徴情報を取得する。提案書作成装置１は、取得した取引条件情報及び特徴情報とを用いて、商品の提案書データを所定のテンプレートに基づいて作成する。【選択図】図１
2015075850.tif 000002
【特許請求の範囲】
【請求項１】
複数の見積書データの中から、第１商品の見積を含む見積書データを指定する指定部と、
前記指定部により指定された見積書データから、前記第１商品の取引条件を示す取引条件情報を取得する取引条件取得部と、
前記第１商品の特徴を示す特徴情報を取得する特徴取得部と、
前記取引条件取得部により取得された前記第１商品の取引条件情報と、前記特徴取得部により取得された前記第１商品の特徴情報とを含む前記第１商品の提案書データを所定のテンプレートに基づいて作成する作成部と、
を備える提案書作成装置。
【請求項２】
請求項１に記載の提案書作成装置であって、さらに、
予め設定された複数のテンプレートのうちいずれか一つを前記所定のテンプレートとして選択する選択部、
を備え、
前記取引条件取得部は、選択されたテンプレートに基づいて、前記指定された見積書データから取得する前記取引条件情報の項目を決定し、
前記特徴取得部は、選択されたテンプレートに基づいて、前記特徴情報の項目を決定する提案書作成装置。
【請求項３】
請求項２に記載の提案書作成装置であって、
前記選択部は、複数の提案書の配置パターンの選択を受け付け、
前記指定された見積書データは、複数の商品の見積を含み、
前記作成部は、前記複数の商品の各々に対応する複数の提案書を前記複数の商品の見積に基づいて作成し、前記選択部により選択された配置パターンに基づいて、前記複数の提案書データを１ページ内に配置した出力用データを作成する提案書作成装置。
【請求項４】
請求項１に記載の提案書作成装置であって、
各商品の特徴情報は、前記指定された見積書データに記録されており、
前記特徴取得部は、前記第１商品の第１項目に対応する特徴情報を前記指定された見積書データから取得できない場合、前記第１商品の特徴が記録された商品マスタから前記第１項目に対応する特徴情報を取得する提案書作成装置。
【請求項５】
請求項１に記載の提案書作成装置であって、
各商品の特徴情報は、商品マスタに記録されており、
前記特徴取得部は、前記指定された見積書データから各商品の識別情報を取得し、取得した各商品の識別情報に基づいて各商品の特徴情報を前記商品マスタから取得する提案書作成装置。
【請求項６】
提案書作成装置に搭載されるコンピュータに、
複数の見積書データの中から、第１商品の見積を含む見積書データを指定するステップと、
指定された前記見積書データから、前記第１商品の取引条件を示す取引条件情報を取得するステップと、
前記第１商品の特徴を示す特徴情報を取得するステップと、
取得された前記第１商品の取引条件情報と、取得された前記第１商品の特徴情報とを含む前記第１商品の提案書データを所定のテンプレートに基づいて作成するステップと、
を実行させるためのプログラム。
【発明の詳細な説明】
【技術分野】
【０００１】
本発明は、商品の提案書を自動的に作成する提案書作成装置に関する。
【背景技術】
【０００２】
顧客は、商品を購入する場合、購入予定の商品の見積書を販売者から取得し、取得した見積書を用いて商品を発注する。見積書は、商品の価格や納期などの取引条件が記載された書類である。
【０００３】
販売者は、顧客に商品の購入を検討してもらう場合、商品の見積書を提示する前に、顧客に対して商品の提案を行うことがある。この場合、販売者は、自身が販売可能な商品の説明や価格などをまとめた提案書を作成する。しかし、顧客に提案するたびに、提案書を作成することは、販売者にとって負担である。
【先行技術文献】
【特許文献】
【０００４】
【特許文献１】特開２００７−３４５４９号公報
【発明の概要】
【発明が解決しようとする課題】
【０００５】
特許文献１には、他社により作成された提案書の内容に基づいて自動的に自社の提案書を作成する提案書設計装置が記載されている。提案書設計装置は、他社の保険証券をスキャニングしてイメージデータを生成し、イメージデータから他社の販売する保険商品名を取得する。提案書設計装置は、取得した保険商品名に対応する自社の保険商品を特定し、商品情報データベースに登録された自社の保険商品の最低価格、特徴等を利用して自社の保険商品の提案書を作成する。
【０００６】
提案書設計装置は、自社の保険商品の最低価格を利用して自社の販売する商品の提案書を作成する。従って、自社の提案書に記載される商品の販売条件が、これまでの販売実績に比べて適切でない可能性がある。
【０００７】
本発明は、適切な商品の販売条件が記載された提案書を自動的に作成することができる提案書作成装置を提供することを目的とする。
【課題を解決するための手段】
【０００８】
上記課題を解決するため、請求項１記載の発明は、提案書作成装置であって、複数の見積書データの中から、第１商品の見積を含む見積書データを指定する指定部と、前記指定部により指定された見積書データから、前記第１商品の取引条件を示す取引条件情報を取得する取引条件取得部と、前記第１商品の特徴を示す特徴情報を取得する特徴取得部と、前記取引条件取得部により取得された前記第１商品の取引条件情報と、前記特徴取得部により取得された前記第１商品の特徴情報とを含む前記第１商品の提案書データを所定のテンプレートに基づいて作成する作成部と、を備える。
【０００９】
請求項２記載の発明は、請求項１に記載の提案書作成装置であって、さらに、予め設定された複数のテンプレートのうちいずれか一つを前記所定のテンプレートとして選択する選択部、を備え、前記取引条件取得部は、選択されたテンプレートに基づいて、前記指定された見積書データから取得する前記取引条件情報の項目を決定し、前記特徴取得部は、選択されたテンプレートに基づいて、前記特徴情報の項目を決定する。
【００１０】
請求項３記載の発明は、請求項２に記載の提案書作成装置であって、前記選択部は、複数の提案書の配置パターンの選択を受け付け、前記指定された見積書データは、複数の商品の見積を含み、前記作成部は、前記複数の商品の各々に対応する複数の提案書を前記複数の商品の見積に基づいて作成し、前記選択部により選択された配置パターンに基づいて、前記複数の提案書データを１ページ内に配置した出力用データを作成する。
【００１１】
請求項４記載の発明は、請求項１に記載の提案書作成装置であって、各商品の特徴情報は、前記指定された見積書データに記録されており、前記特徴取得部は、前記第１商品の第１項目に対応する特徴情報を前記指定された見積書データから取得できない場合、前記第１商品の特徴が記録された商品マスタから前記第１項目に対応する特徴情報を取得する。
【００１２】
請求項５記載の発明は、請求項１に記載の提案書作成装置であって、各商品の特徴情報は、商品マスタに記録されており、前記特徴取得部は、前記指定された見積書データから各商品の識別情報を取得し、取得した各商品の識別情報に基づいて各商品の特徴情報を前記商品マスタから取得する。
【００１３】
請求項６記載の発明は、提案書作成装置に搭載されるコンピュータに、複数の見積書データの中から、第１商品の見積を含む見積書データを指定するステップと、指定された前記見積書データから、前記第１商品の取引条件を示す取引条件情報を取得するステップと、前記第１商品の特徴を示す特徴情報を取得するステップと、取得された前記第１商品の取引条件情報と、取得された前記第１商品の特徴情報とを含む前記第１商品の提案書データを所定のテンプレートに基づいて作成するステップと、を実行させるためのプログラムである。
【発明の効果】
【００１４】
本発明に係る提案書作成装置は、第１商品の特徴情報を取得し、第１商品の見積を含む見積書データから第１商品の取引情報を取得する。取得された特徴情報及び取引条件情報が、所定のテンプレートに基づいて配置されることにより、提案書データが作成される。第１商品の実施の取引条件が記録された見積書データを使用することにより、適切な販売条件が記載された提案書を自動的に作成することができる。
【図面の簡単な説明】
【００１５】
【図１】本発明の実施の形態に係る提案書作成装置の構成を示す機能ブロック図である。
【図２】図１に示す商品マスタの一例を示す図である。
【図３】図１に示す見積メインテーブルの一例を示す図である。
【図４】図３に示す見積メインテーブルに対応する見積サブテーブルを示す図である。
【図５】図１に示す提案書作成プログラムのフローチャートである。
【図６】図１に示すディスプレイに表示される提案書作成画面を示す図である。
【図７】図１に示すテンプレートデータの一例を示す図である。
【図８】図１に示すテンプレートデータの他の例を示す図である。
【図９】図１に示すテンプレートデータの他の例を示す図である。
【図１０】図７に示すテンプレートデータを使用して作成された提案書データを示す図である。
【発明を実施するための形態】
【００１６】
以下、図面を参照し、本発明の実施の形態を詳しく説明する。図中同一又は相当部分には同一符号を付してその説明は繰り返さない。
【００１７】
｛１．提案書作成装置１の構成｝
図１は、本発明の実施の形態に係る提案書作成装置１の構成を示す機能ブロック図である。提案書作成装置１は、商品の見積を含む見積書データを用いて、販売者が取り扱う商品の提案書データ３０を自動的に作成する。見積書データ及び提案書データ３０の詳細については、後述する。
【００１８】
本実施の形態では、食品の卸売業者（販売者）が百貨店、スーパーなどの小売業者（顧客）に商品を提案するために提案書作成装置１を使用する場合を例に説明する。しかし、販売者は、食品の卸売業者に限られず、様々な商品の販売者が、提案書作成装置１を使用することが可能である。
【００１９】
図１を参照しながら、提案書作成装置１の構成を説明する。提案書作成装置１は、パーソナルコンピュータである。パーソナルコンピュータは、提案書作成プログラム２１がインストールされることにより、提案書作成装置１として動作する。なお、提案書作成装置１は、タブレット端末など、提案書作成プログラム２１を実行することができる機器であればよい。
【００２０】
提案書作成装置１は、ＣＰＵ（Central Processing Unit）１１と、ＲＡＭ（Random Access Memory）１２と、ディスプレイ１３と、操作部１４と、ＨＤＤ（Hard Disk Drive）１５と、ネットワークインタフェース１６とを備える。
【００２１】
ＣＰＵ１１は、ＨＤＤ１５に格納されたプログラムを実行する。ＲＡＭ１２は、提案書作成装置１のメインメモリである。ＣＰＵ１１は、プログラムをＲＡＭ１２にロードし、ロードされたプログラムを実行して提案書作成装置１を制御する。
【００２２】
ディスプレイ１３は、ＣＰＵ１１によるプログラムの実行結果を表示する。提案書作成プログラム２１が実行された場合、操作画面、作成された提案書データ３０などがディスプレイ１３に表示される。操作部１４は、マウス及びキーボードであり、販売者が各種の操作情報を入力するために用いられる。
【００２３】
ネットワークインタフェース１６は、ＴＣＰ／ＩＰ（Transmission Control Protocol/Internet Protocol）などを用いて、ネットワークに接続された他のコンピュータとの通信を行う。
【００２４】
ＨＤＤ１５は、提案書作成プログラム２１と、テンプレートデータ２２，２２，・・・と、データベース２３とを記憶する。
【００２５】
提案書作成プログラム２１は、データベース２３が有する各種テーブルを用いて、提案書データ３０を作成するプログラムである。テンプレートデータ２２，２２，・・・は、提案書作成プログラム２１により作成される提案書データ３０の雛形である。テンプレートデータ２２，２２，・・・の各々は、商品に関する情報の配置位置などが異なる。
【００２６】
データベース２３は、商品マスタ２４と、見積メインテーブル２５と、見積サブテーブル２６とを有する。
【００２７】
商品マスタ２４は、販売者が取り扱う商品の基本情報及び特徴情報が記録されたテーブルである。見積メインテーブル２５には、顧客に提出される見積書の一般情報として、見積書の提出先（得意先名及び担当者）、見積書の作成者、納期などが記録される。見積サブテーブル２６には、見積書に記載される各商品の基本情報、取引条件情報及び特徴情報が記録される。商品の基本情報、取引条件情報及び特徴情報の詳細は、後述する。
【００２８】
｛２．データベース２３｝
以下、データベース２３に格納される各テーブルについて説明する。
【００２９】
図２は、商品マスタ２４の一例を示す図である。商品マスタ２４には、販売者が取り扱う商品の特徴情報が、テーブル形式で記録される。特徴情報は、商品の性質、特徴などを示す情報である。
【００３０】
商品Ｎｏは、販売者が取り扱う商品を一意に特定するための識別情報である。商品マスタ２４は、各商品の特徴情報を商品Ｎｏと対応付けて記録する。特徴情報は、図２に示す商品マスタ２４では、商品名、仕入先名、商品説明、内容、原料産地、加工地、出荷地、賞味期間、サイズ、保存方法、写真である。なお、図２において、商品説明及び内容の表示を省略している。商品説明の欄には、各商品のＰＲ文が記録される。内容の欄には、各商品のパッケージに含まれる食品の種類や、内容量などが記録される。例えば、商品名「こだわりハム」の場合、内容の欄には、「生ハム２００ｇ、ロースハム２００ｇ、ソーセージ１５０ｇ」が記録される。
【００３１】
商品マスタ２４には、図２に示す項目以外の特徴情報が記録されてもよい。例えば、商品マスタ２４は、アレルゲン、取扱期間などを特徴情報として記録してもよい。
【００３２】
また、商品マスタ２４には、特徴情報以外に、各商品の上代（税抜）、納品価格（税抜）が記録される。上代は、顧客（小売業者）が各商品を消費者に販売する際の販売価格である。納品価格は、販売者が顧客に商品を納入する際の各商品の価格である。商品マスタ２４に記録される上代及び納品価格は、各商品の標準価格であり、これらの価格が見積書にそのまま反映されるとは限らない。
【００３３】
図３は、見積メインテーブル２５の一例を示す図である。図４は、図３に示す見積メインテーブル２５に対応する見積サブテーブル２６を示す図である。見積メインテーブル２５及び見積サブテーブル２６に記録されたデータにより、顧客に過去に提出した見積書のデータ（見積書データ）が構成される。
【００３４】
図３において、見積Ｎｏは、販売者により作成された見積書データを一意に特定するための識別番号である。例えば、見積Ｎｏ「２」に対応付けられたデータを用いることで、Ａ百貨店に提出される見積書データを確認することができる。見積メインテーブル２５には、見積Ｎｏの他に、見積書の一般情報として、見積年月日、得意先名、得意先担当者、納期などが記録される。見積メインテーブル２５に記録される項目は、図３に示す項目に限定されない。例えば、見積Ｎｏ「１」に対応する見積書に記載される各商品に共通の情報（配送方法、見積有効期限など）を、見積メインテーブル２５に記録することができる。
【００３５】
図４に示すように、見積サブテーブル２６は、見積書データに含まれる商品の見積の具体的な内容を記録しており、商品の基本情報と、取引条件情報と、特徴情報とを含む。
【００３６】
基本情報は、見積サブテーブル２６に記録された情報を、商品マスタ２４及び見積メインテーブル２５に記録された情報と紐付けるために用いられる。
【００３７】
見積Ｎｏは、見積サブテーブル２６に記録されたレコードを、見積メインテーブル２５に記録されたレコードと関連付けるために用いられる。商品Ｎｏは、商品マスタ２４に記録された商品Ｎｏと同じであり、見積サブテーブル２６に記録されたレコードを、商品マスタ２４に記録されたレコードと関連付けるために用いられる。
【００３８】
取引条件情報は、販売者が商品を顧客に販売するときの条件を示し、上代（税抜）、納品価格（税抜）、数などを含む。見積サブテーブル２６に記録される上代及び納品価格は、商品マスタ２４に記録されるものと一致するとは限らない。取引条件は、見積書を作成する時点での商品在庫量などに応じて変わるためである。取引条件情報は、図４に示す項目に限られず、上代、納品価格、数の他に、納品方法、送料負担の有無など、取引条件を示す項目を含んでいればよい。
【００３９】
特徴情報は、商品の性質、特徴などを示す情報であり、商品マスタ２４に記録される特徴情報と同じ項目を含む。特徴情報が見積サブテーブル２６に記録される理由は、見積書を作成する時点で、商品の特徴が一時的に変更される場合に対応するためである。
【００４０】
｛３．提案書作成装置１の動作｝
上述のように、提案書作成装置１は、提案書作成プログラム２１を実行して、見積書データ（見積メインテーブル２５及び見積サブテーブル２６）に記録されたデータに基づく提案書データ３０を自動的に作成する。
【００４１】
図５は、提案書作成プログラム２１のフローチャートである。以下、図５を参照しながら、提案書作成プログラム２１を実行する提案書作成装置１の動作を説明する。
【００４２】
提案書作成装置１は、販売者の操作に応じて、提案書作成プログラム２１を起動する。提案書作成プログラム２１を起動した提案書作成装置１は、提案書データ３０の作成に用いる見積書データの指定を受け付ける（ステップＳ１）。具体的には、販売者は、見積メインテーブル２５及び見積サブテーブル２６に登録されている見積Ｎｏを指定する。
【００４３】
以下、特に説明のない限り、ステップＳ１において見積Ｎｏ「２」が指定された場合を例にして、提案書作成装置１の動作を説明する。
【００４４】
見積書データの指定の後に、提案書作成装置１は、販売者により選択される提案書データ３０のデザイン及び配置パターンに基づいて、提案書データ３０の作成に用いるテンプレートデータ２２を決定する（ステップＳ２）。
【００４５】
次に、提案書作成装置１は、提案書データ３０の表示項目を決定する（ステップＳ３）。提案書データ３０の表示項目は、テンプレートデータ２２ごとに予め定められている。販売者は、決定されたテンプレートデータ２２に基づいて決定された表示項目のうち、実際に提案書データ３０に反映させる表示項目を選択する。この結果、提案書データ３０の表示項目が決定される。
【００４６】
提案書作成装置１は、提案書の作成指示を受け付けた場合（ステップＳ４においてＹｅｓ）、ステップＳ５〜Ｓ７を実行して、見積メインテーブル２５及び見積サブテーブル２６に記録された見積Ｎｏ「２」の見積書データを利用して、商品ごとの提案書データ３０を作成する。ステップＳ４〜Ｓ７の詳細は、後述する。
【００４７】
見積Ｎｏ「２」の見積書データに含まれる全ての商品の提案書データ３０の作成が完了した場合（ステップＳ８においてＹｅｓ）、提案書作成装置１は、図５に示す処理を終了する。
【００４８】
｛３．各ステップの詳細｝
以下、図５に示すフローチャートの各ステップの詳細を説明する。
【００４９】
｛３．１．見積書データの指定（ステップＳ１）｝
図６は、ディスプレイ１３に表示される提案書作成画面３を示す図である。提案書作成画面３は、提案書作成装置１が提案書作成プログラム２１を起動したときに表示される。提案書作成画面３は、見積書選択欄３１と、出力先選択欄３２と、デザイン選択欄３３と、表示パターン選択欄３４と、表示内容選択欄３５とを備える。
【００５０】
販売者は、見積書選択欄３１内のテキストボックス３１１に見積Ｎｏを入力し、検索ボタン３１２をクリックすることにより、入力した見積Ｎｏがデータベース２３に登録されているか否かを調べることができる。入力された見積Ｎｏが検出された場合、提案書作成装置１は、入力された見積Ｎｏに対応する見積書データが見つかったことを通知するメッセージをテキストボックス３１１の下に表示する。この場合、販売者は、閲覧ボタン３１３をクリックして、検出された見積Ｎｏに対応する見積書データをディスプレイ１３に表示させることができる。これにより、販売者は、見積書データの内容を確認することができる。
【００５１】
販売者は、出力先選択欄３２内のボタン３２１〜３２３のいずれかをクリックすることにより、提案書データ３０の出力先を指定する。印刷ボタン３２１がクリックされた場合、提案書データ３０は、ディスプレイ１３に表示されることなく、印刷される。ＰＤＦ（Portable Document Format）ボタン３２３がクリックされた場合、提案書データ３０は、ＰＤＦ形式のファイルとして作成される。プレビューボタン３２２がクリックされた場合、提案書データ３０は、表計算ソフトウェアのワークシート上に作成される。販売者は、プレビュー表示された提案書データ３０を編集して、案件名や顧客名などを追加することが可能である。
【００５２】
｛３．２．テンプレートデータ２２の決定（ステップＳ２）｝
販売者は、提案書データ３０の作成に使用するテンプレートデータ２２を決定するために、デザイン選択欄３３及び表示パターン選択欄３４を操作する（ステップＳ２）。
【００５３】
まず、販売者は、デザイン選択欄３３内のリストボックス３３１から提案書データ３０のデザインを選択する。ここで、ＨＤＤ１５が、Ａ百貨店の指定するデザインのテンプレートデータ２２と、スーパーＢの指定するデザインのテンプレートデータ２２と、販売者が作成したオリジナルデザインのテンプレートデータ２２とを記憶していると仮定する。リストボックス３３１には、「Ａ百貨店用」、「スーパーＢ用」、及び「オリジナル」が登録されており、販売者は、これら３つの選択肢の中から１つを選択する。
【００５４】
次に、販売者は、表示パターン選択欄３４内のボタン３４１〜３４３のいずれか１つをクリックすることにより、提案書データ３０の表示パターンを選択する。
【００５５】
「Ａ４縦  １×１」のボタン３４１がクリックされた場合、１つの提案書データ３０が、Ａ４縦サイズの印刷範囲内に配置される。「Ａ４縦  １×２」のボタン３４２がクリックされた場合、２つの提案書データ３０が、Ａ４縦サイズの印刷範囲に縦に並んで配置される。図８に示すように、「Ａ４縦  ２×２」のボタン３４３がクリックされた場合、４つの提案書データ３０が、４つの提案書データ３０が１ページにまとめて配置される。具体的には、４つの提案書データ３０が、Ａ４縦サイズの印刷範囲に、横に２つ、縦に２つ並んで配置される。
【００５６】
図７〜図９は、テンプレートデータ２２の一例を示す図である。具体的には、図７は、Ａ百貨店の指定するデザインであり、「Ａ４縦  １×１」が選択された場合のテンプレートデータ２２を示す。図８は、スーパーＢの指定するデザインであり、「Ａ４縦  １×１」が選択された場合のテンプレートデータ２２を示す。図７及び図８に示すテンプレートデータ２２を使用する場合、提案書データ３０がそのままディスプレイ１３やプリンタ（図示省略）に出力される。図９は、販売者によるオリジナルのデザインであり、「Ａ４横  ２×２」が選択された場合のテンプレートデータ２２を示す。図９に示すテンプレートデータ２２を使用する場合、４つの提案書データ３０が１ページ内に配置される。
【００５７】
ＨＤＤ１５は、Ａ百貨店用のテンプレートデータ２２として、３つのテンプレートデータ２２を記憶する。３つのテンプレートデータは、上記の３つの表示パターンに対応する。スーパーＢ用及びオリジナルのテンプレートデータ２２も同様である。つまり、本実施の形態では、９つのテンプレートデータ２２が、ＨＤＤ１５に記憶される。提案書作成装置１は、販売者により選択されたデザイン及び表示パターンに基づいて、ＨＤＤ１５に記憶されたテンプレートデータ２２の中から１つを提案書データ３０に作成するデータとして決定する。
【００５８】
｛３．３．表示項目の決定（ステップＳ３）｝
ステップＳ３において、提案書作成装置１は、決定されたテンプレートデータ２２の表示項目を特定する。図７〜図９に示すように、表示項目が、テンプレートデータ２２ごとに予め設定されている。例えば、図９に示すテンプレートデータ２２の表示項目は、商品名、内容、保存方法、賞味期間、サイズ、上代、納品価格、商品説明及び写真である。提案書作成装置１は、特定された表示項目に対応するデータを提案書データ３０に反映させるか否かをユーザに選択させるために、特定した表示項目の各々に対応する選択ボタン３５１，３５１，・・・を表示内容選択欄３５内に表示する。
【００５９】
図６に示す表示内容選択欄３５内の選択ボタン３５１，３５１・・・は、図９に示すテンプレートデータ２２の使用が決定された場合に表示される。太線で囲まれた選択ボタン３５１は、各表示項目が提案書データ３０に反映されることを示す選択状態オンを示す。全ての選択ボタン３５１は、デフォルトでは、選択状態オンであり、太線で囲まれて表示される。
【００６０】
販売者は、選択ボタン３５１をクリックして選択状態をオフにすることにより、クリックされた選択ボタン３５１の表示項目に対応するデータの表示を省略することができる。例えば、販売者は、「賞味期間」を提案書データ３０に反映させない場合、表示内容選択欄３５内の選択ボタン３５１のうち、「賞味期間」の選択ボタン３５１をクリックすればよい。この結果、「賞味期間」以外の表示項目が、提案書データ３０に反映される。その後、販売者は、「賞味期間」を提案書データ３０に反映させる場合、「賞味期間」の選択ボタン３５１を再びクリックして、選択状態をオンにすればよい。
【００６１】
｛３．４．提案書データ３０の作成（ステップＳ４〜Ｓ７）｝
提案書作成装置１は、提案書作成画面３の作成指示ボタン３６がクリックされた場合（ステップＳ４においてＹｅｓ）、提案書データ３０の作成指示を受けたと判断する。以下、図４及び図７を参照しながら、図７に示すテンプレートデータ２２の使用が決定され、全ての表示項目が表示される場合を例にして、ステップＳ４〜Ｓ７を説明する。
【００６２】
見積Ｎｏ「２」がステップＳ１で指定されているため、「牛すき焼丼」、「キムチセット」、「しそ梅漬け」、及び「辛子明太子」の各々に対応する提案書データ３０が作成される。以下、「牛すき焼丼」の提案書データ３０が、図７に示すテンプレートデータ２２に基づいて作成される場合を例に説明する。また、出力先として、「プレビュー」が選択されていると仮定する。
【００６３】
提案書作成装置１は、提案書データ３０を作成する商品の商品Ｎｏとして、見積Ｎｏ「２」に対応する商品Ｎｏ「１２」（牛すき焼丼）を特定する（ステップＳ５）。
【００６４】
次に、提案書作成装置１は、見積サブテーブル２６に記録された商品Ｎｏ「１２」に記録された取引条件情報及び特徴情報のうち、ステップＳ３で表示対象に決定された項目に対応する取引条件情報及び特徴情報を取得する（ステップＳ６）。なお、写真が表示項目として選択されている場合、提案書作成装置１は、見積サブテーブル２６に記録されているパスに基づいて、商品Ｎｏ「１２」の写真を取得する。
【００６５】
提案書作成装置１は、取得した取引条件情報及び特徴情報を、テンプレートデータ２２に基づいて、ワークシート上に配置することにより、提案書データ３０を作成する（ステップＳ７）。なお、提案書作成装置１は、写真が表示対象に決定されている場合、ステップＳ６で取得された写真を、テンプレートデータ２２で予め設定されたサイズに変更して、ワークシート上に配置する。また、ワークシートの各セルの大きさ、罫線などの書式は、図７に示すテンプレートデータ２２に基づいて配置される。
【００６６】
図７に示すテンプレートデータ２２において、上代（税込）及び納品価格（税込）が示されているが、これら２つの項目に対応する取引条件情報は、見積サブテーブル２６に記録されていない。提案書作成装置１は、取引条件情報として抽出した上代（税抜）及び納品価格（税抜）を用いて、上代（税込）及び納品価格（税込）を計算し、ワークシート上に配置する。この結果、図１０に示すような、商品Ｎｏ「１２」(牛すき焼丼）の提案書データ３０が作成される。
【００６７】
なお、図９に示すテンプレートデータ２２を使用して提案書データ３０が作成される場合、ステップＳ５〜Ｓ７の処理により作成される提案書データ３０が、図９に示すテンプレートデータ２２の上下左右のいずれかの位置に配置される。そして、提案書作成装置１は、ステップＳ５〜Ｓ８を繰り返すことにより、４つの提案書データ３０が配置された出力用データを作成する。
【００６８】
提案書作成装置１は、見積Ｎｏ「２」に対応付けられた全ての商品Ｎｏの提案書データ３０を作成したか否かを判断する（ステップＳ８）。全ての商品Ｎｏの提案書データ３０を作成した場合（ステップＳ８においてＹｅｓ）、提案書作成装置１は、図５に示す処理を終了する。
【００６９】
一方、見積Ｎｏ「２」に対応する全ての商品Ｎｏが特定されていない場合（ステップＳ８においてＮｏ）、提案書作成装置１は、次の商品Ｎｏを特定するために、ステップＳ５に戻る。
【００７０】
以上説明したように、本実施の形態に係る提案書作成装置１は、見積書データに記録された商品の取引条件情報及び特徴情報に基づいて、商品の提案書データ３０を作成する。見積書データには、商品の実際の取引条件が記録されているため、提案書作成装置１は、商品の実際の取引状況に応じた適切な取引条件が反映された提案書データを自動的に作成することができる。
【００７１】
例えば、提案書作成装置１は、顧客に提出した見積書のうち直近の見積書に対応する見積書データを用いて提案書データを自動的に作成することにより、その顧客との最新の取引条件（納品価格など）を反映した提案書を効率よく作成することができる。
【００７２】
なお、上記実施の形態では、商品の特徴情報を見積サブテーブル２６から抽出する例を説明したが、これに限られない。商品の特徴情報を商品マスタ２４から抽出してもよい。この場合、提案書作成装置１は、見積サブテーブル２６に記録された商品Ｎｏに基づいて、商品マスタ２４から商品の特徴情報を抽出する。また、商品の特徴情報のうち、ある表示項目のデータを見積サブテーブル２６から抽出できない場合、提案書作成装置１は、当該表示項目のデータを商品マスタ２４から抽出してもよい。
【００７３】
上記実施の形態では、データベース２３が、ＨＤＤ１５に記憶されている例を説明したが、これに限られない。データベース２３は、ＬＡＮなどのネットワークに接続されたサーバに記憶されていてもよい。この場合、提案書作成装置１は、ネットワークインタフェースを介してネットワークに接続して、商品マスタ２４、見積メインテーブル２５及び見積サブテーブル２６の各々に記録されたデータを取得する。商品マスタ２４、見積メインテーブル２５及び見積サブテーブル２６は、別々のサーバに記憶されていてもよい。
【００７４】
上記実施の形態では、見積書データに含まれる全ての商品の提案書データ３０が作成される場合を例に説明したが、これに限られない。例えば、販売者が、指定した見積書データに含まれる商品のうち、提案書データ３０の作成対象となる商品を選択できるようにしてもよい。
【００７５】
上記実施の形態では、食品の卸売業者が提案書作成装置１を使用する場合を例に説明したが、これに限られない。商品の種類に関係なく、商品の卸売業者及び小売業者は、上記の提案書作成装置１を使用して、顧客に提出する提案書データ３０を自動的に作成することが可能である。
【００７６】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【符号の説明】
【００７７】
１  提案書作成装置
１１  ＣＰＵ
１２  ＲＡＭ
１３  ディスプレイ
１４  操作部
１５  ＨＤＤ
２１  提案書作成プログラム
２２  テンプレートデータ
２４  商品マスタ
２５  見積メインテーブル
２６  見積サブテーブル
３０  提案書データ
【図１】
2015075850.tif 000003
【図２】
2015075850.tif 000004
【図３】
2015075850.tif 000005
【図４】
2015075850.tif 000006
【図５】
2015075850.tif 000007
【図６】
2015075850.tif 000008
【図７】
2015075850.tif 000009
【図８】
2015075850.tif 000010
【図９】
2015075850.tif 000011
【図１０】
2015075850.tif 000012